(57)【要約】【課題】ワイヤハーネスの分岐線をカバーに固定する際の作業性を向上させることができるワイヤハーネス用プロテクタを提供する。【解決手段】底壁１２と両側壁１３，１３を有してワイヤハーネス８を収容する樋状のプロテクタ本体１１と、このプロテクタ本体１１の両側壁１３，１３間の開口部１３ｂを覆うカバー２１とから成るワイヤハーネス用プロテクタ１０において、カバー２０の上面２０ａに分岐線位置決め用突起２２を一体突出形成し、この分岐線位置決め用突起２２の中央にプロテクタ本体１１の外で幹線８ａより分岐したワイヤハーネス８の分岐線８ｂを保持する分岐線保持凹部２３を設けた。【選択図】図１
2010029056.tif 000002
【特許請求の範囲】
【請求項１】
底壁と両側壁を有してワイヤハーネスを収容する樋状のプロテクタ本体と、このプロテクタ本体の両側壁間の開口部を覆うカバーとから成るワイヤハーネス用プロテクタにおいて、
前記カバーに、前記プロテクタ本体の外で幹線より分岐した前記ワイヤハーネスの分岐線を保持する分岐線保持部を設けたことを特徴とするワイヤハーネス用プロテクタ。
【請求項２】
請求項１記載のワイヤハーネス用プロテクタであって、
前記カバーに分岐線位置決め用突起を設け、この分岐線位置決め用突起の中央に前記分岐線保持部としての分岐線保持凹部を設けたことを特徴とするワイヤハーネス用プロテクタ。
【請求項３】
請求項２記載のワイヤハーネス用プロテクタであって、
前記分岐線位置決め用突起を前記カバーの幅方向に平行に延びるように形成された一対の位置決め用壁で構成し、この一対の位置決め用壁間に前記分岐線を固定する固定手段を着脱自在に取り付けたことを特徴とするワイヤハーネス用プロテクタ。
【請求項４】
請求項１記載のワイヤハーネス用プロテクタであって、
前記カバーに、前記ワイヤハーネスの分岐線の前記分岐線保持部からのハーネス長を示す目印を設けたことを特徴とするワイヤハーネス用プロテクタ。
【請求項５】
請求項４記載のワイヤハーネス用プロテクタであって、
前記目印として刻印又は印刷の表示によるラインを設けたことを特徴とするワイヤハーネス用プロテクタ。
【発明の詳細な説明】
【技術分野】
【０００１】
本発明は、例えば、車両用のワイヤハーネスを収容して保護するワイヤハーネス用プロテクタに関する。
【背景技術】
【０００２】
この種のワイヤハーネス用プロテクタとして、図６に示すものがある。
【０００３】
このワイヤハーネス用プロテクタ１は、図６に示すように、ワイヤハーネス８の幹線８ａを収容する合成樹脂製で樋状のプロテクタ本体２と、このプロテクタ本体２の両側壁２ａ，２ａ間を覆うカバー３から構成されている。
【０００４】
このプロテクタ本体２の一方の側壁２ａの上端側に凹状の切欠き部２ｂを形成してあると共に、カバー３の一側縁に凹状の切欠き部３ａを形成してある。このカバー３の切欠き部３ａの奥には起立片３ｂを突設してある。
【０００５】
そして、プロテクタ本体２の一方の側壁２ａの切欠き部２ｂとカバー３の切欠き部３ａとの間からワイヤハーネス８の幹線８ａより分岐した分岐線８ｂを上方向（カバー３の上面に対して垂直方向）に露出させている。また、この分岐線８ｂはカバー３の起立片３ｂに粘着テープＴを介して固定されるようになっている。尚、分岐線８ｂの先端にはコネクタ９を取り付けてある。
【先行技術文献】
【特許文献】
【０００６】
【特許文献１】特開平７−１３１９１４号公報
【特許文献２】実開平６−４８３２４号公報
【発明の概要】
【発明が解決しようとする課題】
【０００７】
しかしながら、前記従来のワイヤハーネス用プロテクタ１では、ワイヤハーネス８の分岐線８ｂをプロテクタ本体２内で分岐させ、かつ、カバー３に対して垂直方向へ露出させており、このカバー３から出る垂直方向への分岐線８ｂは三次元方向の作業となるため、ワイヤハーネス８の分岐線８ｂをカバー３の起立片３ｂに固定する際の作業性が悪かった。
【０００８】
そこで、本発明は、前記した課題を解決すべくなされたものであり、ワイヤハーネスの分岐線をカバーに固定する際の作業性を向上させることができるワイヤハーネス用プロテクタを提供することを目的とする。
【課題を解決するための手段】
【０００９】
請求項１の発明は、底壁と両側壁を有してワイヤハーネスを収容する樋状のプロテクタ本体と、このプロテクタ本体の両側壁間の開口部を覆うカバーとから成るワイヤハーネス用プロテクタにおいて、前記カバーに、前記プロテクタ本体の外で幹線より分岐した前記ワイヤハーネスの分岐線を保持する分岐線保持部を設けたことを特徴とする。
【００１０】
請求項２の発明は、請求項１記載のワイヤハーネス用プロテクタであって、前記カバーに分岐線位置決め用突起を設け、この分岐線位置決め用突起の中央に前記分岐線保持部としての分岐線保持凹部を設けたことを特徴とする。
【００１１】
請求項３の発明は、請求項２記載のワイヤハーネス用プロテクタであって、前記分岐線位置決め用突起を前記カバーの幅方向に平行に延びるように形成された一対の位置決め用壁で構成し、この一対の位置決め用壁間に前記分岐線を固定する固定手段を着脱自在に取り付けたことを特徴とする。
【００１２】
請求項４の発明は、請求項１記載のワイヤハーネス用プロテクタであって、前記カバーに、前記ワイヤハーネスの分岐線の前記分岐線保持部からのハーネス長を示す目印を設けたことを特徴とする。
【００１３】
請求項５の発明は、請求項４記載のワイヤハーネス用プロテクタであって、前記目印として刻印又は印刷の表示によるラインを設けたことを特徴とする。
【発明の効果】
【００１４】
以上説明したように、請求項１の発明によれば、カバーに、プロテクタ本体の外で幹線より分岐したワイヤハーネスの分岐線を保持する分岐線保持部を設けたことにより、プロテクタ本体の外でワイヤハーネスを分岐することができるため、ワイヤハーネスの分岐線をカバーに固定する際の作業性を向上させることができる。
【００１５】
請求項２の発明によれば、カバーに分岐線位置決め用突起を設け、この分岐線位置決め用突起の中央に分岐線保持部としての分岐線保持凹部を設けたことにより、プロテクタ本体の外で分岐したワイヤハーネスの分岐線をカバーの分岐線保持凹部に簡単に保持させることができるため、ワイヤハーネスの分岐線をカバーに固定する際の作業性を向上させることができる。
【００１６】
請求項３の発明によれば、分岐線位置決め用突起をカバーの幅方向に平行に延びるように形成された一対の位置決め用壁で構成し、この一対の位置決め用壁間に分岐線を固定する固定手段を着脱自在に取り付けたことにより、カバーの分岐線保持凹部に保持したワイヤハーネスの分岐線を固定手段を介してカバーに簡単に固定することができる。
【００１７】
請求項４の発明によれば、カバーに、ワイヤハーネスの分岐線の分岐線保持部からのハーネス長を示す目印を設けたことにより、分岐線保持部からのワイヤハーネスの分岐線のハーネス寸法を合わせる作業を容易に行うことができる。
【００１８】
請求項５の発明によれば、目印として刻印又は印刷の表示によるラインを設けたことにより、ハーネス長を示す目印を簡単かつ低コストで表示することができる。
【図面の簡単な説明】
【００１９】
【図１】本発明の第１の実施形態のワイヤハーネス用プロテクタの使用状態を示す斜視図である。
【図２】上記ワイヤハーネス用プロテクタの斜視図である。
【図３】上記ワイヤハーネス用プロテクタの正面図である。
【図４】本発明の第２の実施形態のワイヤハーネス用プロテクタの使用状態を示す斜視図である。
【図５】上記第２の実施形態のワイヤハーネス用プロテクタの斜視図である。
【図６】従来のワイヤハーネス用プロテクタの使用状態を示す斜視図である。
【発明を実施するための形態】
【００２０】
以下、本発明の実施形態を図面に基づいて説明する。
【００２１】
図１は本発明の第１の実施形態のワイヤハーネス用プロテクタの使用状態を示す斜視図、図２は同ワイヤハーネス用プロテクタの斜視図、図３は同ワイヤハーネス用プロテクタの正面図である。
【００２２】
図１〜図３に示すように、ワイヤハーネス用プロテクタ１０は、底壁１２と該底壁１２の両端側より上方に起立した両側壁１３，１３とで樋状（断面コ字状）に形成され、その内部にワイヤハーネス８の幹線８ａを収容する合成樹脂製のプロテクタ本体１１と、このプロテクタ本体１１の両側壁１３，１３の各上端１３ａ間の開口部１３ｂを開閉する合成樹脂製のカバー２０とから構成されている。
【００２３】
プロテクタ本体１１の一方の側壁１３の外側には、車体等に取り付けるためのブラケット１４を一体突出形成してある。
【００２４】
図１〜図３に示すように、カバー２０はプロテクタ本体１１の両側壁１３，１３の外側に覆い被さる断面コ字状に形成されており、その前後両側には先端が鉤状の係止爪（係止部）２１をそれぞれ一体突出形成してある。この各係止爪２１に対向するプロテクタ本体１１の両側壁１３，１３の外側には、該各係止爪２１が係止・離脱される略四角筒状（枠状）の係合部１５をそれぞれ一体突出形成してある。これら係合部１５と係止爪２１とでプロテクタ本体１１の両側壁１３，１３とカバー２０との閉状態をロックするロック手段が構成されている。
【００２５】
また、カバー２０の上面２０ａの前側には分岐線位置決め用突起２２を設けてある。この分岐線位置決め用突起２２はカバー２０の上面２０ａの両側（幅方向）に跨って平行に延びるように一体突出形成された一対の位置決め用壁２２ａ，２２ａで構成されている。そして、この一対の位置決め用壁２２ａ，２２ａの中央は各仕切壁２２ｂで切り欠かれており、この各仕切壁２２ｂ間にプロテクタ本体１１の外で幹線８ａより分岐したワイヤハーネス８の分岐線８ｂを保持する分岐線保持凹部（分岐線保持部）２３を形成してある。さらに、カバー２０の両側の一対の位置決め用壁２２ａ，２２ａ間には、結束バンド（固定手段）Ｂを挿通させるバンド挿通枠部２４を一体形成してある。
【００２６】
さらに、プロテクタ本体１１の底壁１２及び両側壁１３，１３には、一対の位置決め用壁１６，１６をカバー２０の一対の位置決め用壁２２ａ，２２ａと連続するように一体突出形成してある。そして、図１及び図３に示すように、カバー２０の分岐線位置決め用突起２２の中央の分岐線保持凹部２３に保持されたワイヤハーネス８の分岐線８ｂは、カバー２０の一対の位置決め用壁２２ａ，２２ａ間及びプロテクタ本体１１の一対の位置決め用壁１６，１６間に装着される結束バンドＢにて固定されるようになっている。
【００２７】
以上実施形態のワイヤハーネス用プロテクタ１０によれば、図１に示すように、プロテクタ本体１１の両側壁１３，１３間の開口部１３ｂを覆うカバー２０の上面２０ａに、分岐線位置決め用突起２２を一体突出形成し、この分岐線位置決め用突起２２の中央に分岐線保持凹部２３を設けたことにより、プロテクタ本体１１の外で分岐したワイヤハーネス８の分岐線８ａをカバー２０の分岐線保持凹部２３に簡単かつ確実に保持させることができる。即ち、プロテクタ本体１１の外でワイヤハーネス８の分岐線８ａを分岐させた後、本来の分岐位置（カバー２０の上面２０ａから直接分岐しているのと同様の位置）でワイヤハーネス８の分岐線８ｂを固定することができるため、ワイヤハーネス８の分岐線８ｂをカバー２０に固定する際の作業性をより一段と向上させることができる。
【００２８】
特に、分岐線位置決め用突起２２をカバー２０の上面２０ａの幅方向に平行に延びるように一体突出形成された一対の位置決め用壁２２ａ，２２ａで構成し、この一対の位置決め用壁２２ａ，２２ａ間に分岐線８ｂを固定する結束バンドＢを着脱自在に取り付けたことにより、カバー２０の分岐線保持凹部２３に保持したワイヤハーネス８の分岐線８ｂを結束バンドＢを介してカバー２０の上面２０ａに簡単かつ確実に固定することができる。
【００２９】
図４は本発明の第２の実施形態のワイヤハーネス用プロテクタの使用状態を示す斜視図、図５は同ワイヤハーネス用プロテクタの斜視図である。
【００３０】
この第２の実施形態のワイヤハーネス用プロテクタ１０′は、そのカバー２０′の上面２０ａに、ワイヤハーネス８の分岐線８ｂの分岐線保持凹部（分岐線保持部）２３からの分岐長（ハーネス長）Ｌを示す直線状のライン（目印）２５を刻印又は印刷の表示により設けてある。尚、他の構成は、前記第１の実施形態と同様であるので、同一構成部分には同一符号を付して詳細な説明を省略する。
【００３１】
この第２の実施形態のワイヤハーネス用プロテクタ１０′では、カバー２０′の上面２０ａに、ワイヤハーネス８の分岐線８ｂの分岐線保持凹部２３からの分岐長Ｌを示す直線状のライン２５を表示したことにより、この直線状のライン２５に分岐線８ｂの先端に取り付けたコネクタ９の位置を合わせることで、正確な分岐長Ｌの設定が可能となる。これにより、ワイヤハーネス用プロテクタ１０′のカバー２０′の上面２０ａ上において、ワイヤハーネス８の分岐線８ａのハーネス寸法を合わせる作業が容易となる。
【００３２】
また、分岐長Ｌの基準となる目印を、刻印又は印刷の表示によるライン２５としたことにより、分岐長Ｌを示す目印を簡単かつ低コストで表示することができる。
【００３３】
尚、前記各実施形態によれば、カバーにワイヤハーネスの分岐線を結束バンドで固定したが、粘着テープ等の他の固定手段で固定しても良い。また、前記第２の実施形態によれば、ハーネス長を示す目印をラインとしたが、目印はラインに限られるものではないことは勿論である。
【符号の説明】
【００３４】
８  ワイヤハーネス
８ａ  幹線
８ｂ  分岐線
１０，１０′  ワイヤハーネス用プロテクタ
１１  プロテクタ本体
１２  底壁
１３，１３  両側壁
１３ｂ  開口部
２０，２０′  カバー
２２  分岐線位置決め用突起
２２ａ，２２ａ  一対の位置決め用壁
２３  分岐線保持凹部（分岐線保持部）
２５  ライン（目印）
Ｂ  結束バンド（固定手段）
Ｌ  分岐線の分岐長（ハーネス長）
【図１】
2010029056.tif 000003
【図２】
2010029056.tif 000004
【図３】
2010029056.tif 000005
【図４】
2010029056.tif 000006
【図５】
2010029056.tif 000007
【図６】
2010029056.tif 000008